(57)【特許請求の範囲】
【請求項１】
加熱装置を備えた第１の容器と、前記第１の容器に併設した第２の容器と、前記第１の容器に一端を開口し他端を出湯口に連通して外方に開口する第１の移送管と、前記第１の移送管の途中に設けられ前記第１の容器の液体を外方の一方向に移送する第１の移送装置と、前記第１の容器内の液位を検知する第１の液位検知装置と、前記第２の容器内に一端を開口し他端を前記第１の容器に開口する第２の移送管と、前記第２の移送管の途中に設けられて前記第２の容器から第１の容器に一方向に液体を移送する第２の移送装置と、前記第１の液位検知装置と第２の移送装置とを制御する制御回路と、前記制御回路の操作部とを有し、前記制御回路に前記第１の移送装置の動作時間を積算する積算部と、前記第１の液位検知装置からの信号で前記積算部をリセットする積算リセット部と、前記積算部の値と所定の値とを比較する比較部と、遅延時間部とを備え、前記積算部の値が前記所定の値を越えたら、前記比較部が前記遅延時間部に信号を送り、前記遅延時間部は１分後に前記制御回路に前記第２の移送装置を駆動する信号を送り、前記制御回路は、前記第１の移送装置が操作されていないと判断したら前記第２の移送装置を駆動し前記第１の液位検知装置が液位を検知すると前記第２の移送装置の駆動を停止し、前記制御回路が前記遅延時間部より前記信号を受けた時に前記第１の移送装置が駆動されていると判断したら、前記比較部に信号を送り改めて前記遅延時間部を作動させて前記第１の移送装置が最後に駆動されてから１分以上後でないと前記第２の移送装置が作動しないようにした電気湯沸かし器。
【発明の詳細な説明】
【０００１】
【発明の属する技術分野】
本発明は、一般家庭または事務所等で使用する電気湯沸かし器に関する。
【０００２】
【従来の技術】
図９に従来の電気湯沸かし器の構造を示す。図において１は底部に加熱装置であるヒーター２を備えた略円筒状の容器であり、３は容器１下方に位置して一端を容器１底部の流出口４に連通し他端を移送管５に連通した送水装置である遠心ポンプである。６は容器１底面に備えた容器１内の湯温を検知する温度検知素子である。７は前記容器１の側面に備えた断熱材である。８は操作ボタンと表示部とを備えた操作部である。９は前記ヒーター２と遠心ポンプ３とを操作部８からの信号で制御する制御回路である。
【０００３】
以上のように構成した従来の電気湯沸かし器の動作を説明する。まず、容器１内に所定の水を給水する。電源をつなぐと制御回路９がヒーター２への通電を開始する。温度検知素子６が沸騰を検知すると制御回路９はヒーター２への通電を停止してやがて温度検知素子６からの信号でヒーター２への通電を制御しながら容器１内の湯を所定の温度に保温する。
【０００４】
次に湯を所望の場合は、操作部８の操作ボタンを操作して制御回路９を介して遠心ポンプ３を駆動し容器１内の湯を移送管５を通して給湯する。所望の量を給湯すると操作ボタンの操作を停止して終了する。
【０００５】
容器１内の水位は一般には移送管５を透明なガラス管で構成し移送管５が外方から見えるように構成して湯の量を確認して少なくなったら容器１内に人が給水する構造のものが一般的であった。
【０００６】
【発明が解決しようとする課題】
前記従来の電気湯沸かし器の構成においては、容器１内の湯を常時全部加熱と保温しなければならないとゆう非経済的な構成であった。また、湯量が少なくなって水を追加する場合にも全体の湯温が低下するために全体を再加熱する必要があり、すぐに熱湯を得ることができないといった問題があった。
【０００７】
この電気湯沸かし器においては、第１に常時湯を約９５度程度の高温に保温することが要求されている。そして第２にコンパクトな形状にして台所等に置きやすい省スペースな構成にすることが要求されている。また第３に給水部に簡便に給水しやすい構成が要求されている。第４に加熱装置を備えた容器内の水量を検知する構成が要求されている。第５に給水部に定格量を給水すると検知する給水検知機能を備えた構成が要求されている。第６に加熱装置を備えた容器内の定格容量を検知する機能が要求されている。第７に加熱装置を有する容器内に自動的に給水する機能が要求されている。さらに第８に加熱装置を有する容器内に自動的に給水する機能は給湯操作をしていない間に作動することが要求されている。
【０００８】
本発明は、前記従来の課題を解決するために、第１に実用上充分な量を常時高温に保温することを目的とする。実用上充分な湯量は一般に５００ｍｌ程度である。理由はインスタントコーヒーなどは約１５０ｍｌ程度であるが、カップめんなどは約５００ｍｌ程度必要であり、通常の使用目的を調査した結果、必要湯量は５００ｍｌ以下であった。第２にコンパクトな構成として省スペースな構成にすることを目的とする。第３に加熱容器の液位を検知する機能を有する構成にすることを目的とする。第４に加熱装置を有する容器に給水タンクから自動的に給水する機能を有する構成とすることを目的とする。第５に加熱装置を有する容器に給水タンクから自動給水するのは給湯操作時以外に自動給水動作する機能を有する構成にすることを目的とする。
【０００９】
【課題を解決するための手段】
前記従来の課題を解決するために本発明は、加熱装置を備えた第１の容器と、前記第１の容器に併設した第２の容器と、前記第１の容器に一端を開口し他端を出湯口に連通して外方に開口する第１の移送管と、前記第１の移送管の途中に設けられ前記第１の容器の液体を外方の一方向に移送する第１の移送装置と、前記第１の容器内の液位を検知する第１の液位検知装置と、前記第２の容器内に一端を開口し他端を前記第１の容器に開口する第２の移送管と、前記第２の移送管の途中に設けられて前記第２の容器から第１の容器に一方向に液体を移送する第２の移送装置と、前記第１の液位検知装置と第２の移送装置とを制御する制御回路と、前記制御回路の操作部とを有し、前記制御回路に前記第１の移送装置の動作時間を積算する積算部と、前記第１の液位検知装置からの信号で前記積算部をリセットする積算リセット部と、前記積算部の値と所定の値とを比較する比較部と、遅延時間部とを備え、前記積算部の値が前記所定の値を越えたら、前記比較部が前記遅延時間部に信号を送り、前記遅延時間部は１分後に前記制御回路に前記第２の移送装置を駆動する信号を送り、前記制御回路は、前記第１の移送装置が操作されていないと判断したら前記第２の移送装置を駆動し前記第１の液位検知装置が液位を検知すると前記第２の移送装置の駆動を停止し、前記制御回路が前記遅延時間部より前記信号を受けた時に前記第１の移送装置が駆動されていると判断したら、前記比較部に信号を送り改めて前記遅延時間部を作動させて前記第１の移送装置が最後に駆動されてから１分以上後でないと前記第２の移送装置が作動しないようにしたものである。
【００１０】
これにより、実用上必要量の高温の湯が得られると同時に湯量が少なくなると自動的に給水し、保温に必要な消費電力を抑える。
【００１１】
【発明の実施の形態】
本発明の請求項１に記載の発明は、加熱装置を備えた第１の容器と、前記第１の容器に併設した第２の容器と、前記第１の容器に一端を開口し他端を出湯口に連通して外方に開口する第１の移送管と、前記第１の移送管の途中に設けられ前記第１の容器の液体を外方の一方向に移送する第１の移送装置と、前記第１の容器内の液位を検知する第１の液位検知装置と、前記第２の容器内に一端を開口し他端を前記第１の容器に開口する第２の移送管と、前記第２の移送管の途中に設けられて前記第２の容器から第１の容器に一方向に液体を移送する第２の移送装置と、前記第１の液位検知装置と第２の移送装置とを制御する制御回路と、前記制御回路の操作部とを有し、前記制御回路に前記第１の移送装置の動作時間を積算する積算部と、前記第１の液位検知装置からの信号で前記積算部をリセットする積算リセット部と、前記積算部の値と所定の値とを比較する比較部と、遅延時間部とを備え、前記積算部の値が前記所定の値を越えたら、前記比較部が前記遅延時間部に信号を送り、前記遅延時間部は１分後に前記制御回路に前記第２の移送装置を駆動する信号を送り、前記制御回路は、前記第１の移送装置が操作されていないと判断したら前記第２の移送装置を駆動し前記第１の液位検知装置が液位を検知すると前記第２の移送装置の駆動を停止し、前記制御回路が前記遅延時間部より前記信号を受けた時に前記第１の移送装置が駆動されていると判断したら、前記比較部に信号を送り改めて前記遅延時間部を作動させて前記第１の移送装置が最後に駆動されてから１分以上後でないと前記第２の移送装置が作動しないようにしたものであり、必要量の高温の湯が得られると同時に保温に必要な消費電力を抑えることが出来る。
【００１２】
また、所望の湯量を給湯したあとにすぐに第２の容器から第１の容器に給水されることがなく、必要量の湯を給湯してしばらくしてから第２の容器から第１の容器に給水されるので湯温が低下することがない。
【００１３】
【実施例】
（実施例１）
以下本発明の実施例１について、図面を参照しながら説明する。図１において、３０は第１の容器であり、略円筒状のステンレス鋼板で形成されて底面には加熱装置であるヒーター３１が設けてある。このヒーター３１は消費電力が約１０００Ｗの湯沸かしヒーター３２と消費電力が約１００Ｗの保温ヒーター３３で形成されている。湯沸かし時には湯沸かしヒーター３２で加熱して湯を沸かし、沸騰近くの温度になると通電率を徐徐に変化させて沸騰時に発生する蒸気の勢いを弱めるように制御する。沸騰した後は保温ヒーター３３で約９５度の温度を維持する。３４は第１の容器３０底部のヒーター３１近傍に感熱的に備えられて第１の容器３０の底面を介して湯温を検知する温度検知素子であり、サーミスタで形成されている。第１の容器３０は約１リットルが満水となる。
【００１４】
３５は第２の容器であり略直方体の形状をして第１の容器３０とほぼ同一の高さであり第１の容器３０の底面の位置はほぼ同等の位置関係にある。そして透明なプラスチック材料で形成され約２リットルの水を溜めておくタンクである。第２の容器３５は上方を開口して底面に給水口３６を設け、側面にはその材料の透明性を利用して内容量の水位を表す目盛り３７が設けてある。
【００１５】
３８は第１の容器３０の底部に設けられた給湯口である。３９は第１の容器３０近傍に垂直に位置する第１の移送管であり、ガラス管で形成されていて中の水位が見える。４０は第１の移送装置である第１の遠心ポンプであり、一端を前記給湯口３８に連通し他端を前記第１の移送管３９に連通し他端を出湯口４１を介して外方に開口している。
【００１６】
４２は第１の容器３０の上方に一端を開口し他端をと第２の容器３５の底面の給水口３６に連通した第２の移送管であり、ガラス管をシリコンゴムで接続している。４３は第２の移送管４２の途中で第２の容器３５の底面近傍に位置して第２の容器３５から第１の容器３０へ水を給水する第２の移送装置である第２の遠心ポンプである。第２の移送管４２の開口部４４は第１の容器３０の第１の満水目盛り４５位置より高い位置に開口しているので第１の容器３０が満水になっても開口部４４が水に浸かることはない。
【００１７】
４６は第１の移送管３９の途中に備えられた第１の液位検知装置である第１の光学センサーである。図３に示すように第１の光学センサー４６は第１の移送管３９を挟んで発光ダイオード４７と受光ダイオード４８で構成されている。発光ダイオード４７の光軸は第１の移送管３９の中心から少し外れている。第１の移送管３９を形成するガラス管は透明であり中に水が存在するときとしないときの発光ダイオード４７からの光の光軸が異なり、水が存在しないときは受光ダイオード４８に光が到達して水が存在するときは光が到達しない。この差を検知して水位の検知を行う。
【００１８】
４９は第２の容器３５の満水位置を検知するように第２の移送管４２の途中に取り付けられた第２の液位検知装置である第２の光学センサーである。構造は既に説明した第１の光学センサー４６と同じであり説明は省略する。
【００１９】
５０は第１の容器３０下方近傍に配置されたマイクロコンピュータを内蔵する制御回路であり、上部防水ホルダー５１と下部防水ホルダー５２で略密封されている。制御回路５０には第１の光学センサー４６と第２の光学センサー４９と第１の遠心ポンプ４０と第２の遠心ポンプ４３とヒーター３１とが電気的に接続されていてこれらを制御する。
【００２０】
５３は図２に示すように第１の容器３０と第２の容器３５の間の前方部に位置して、制御回路５０を操作する操作部であり、本体５４外郭に沿って形成されている。
【００２１】
５５は第１の移送管３９が外部から見える位置に設けられた透明な窓である。窓５５からは第１の移送管３９が見えると同時に、窓には水位目盛り５６が設けてあり第１の容器３０内の湯量を水位で確認することができる。
【００２２】
５７は給電口であり、マグネット式のプラグ５８で給電する。プラグ５８を引っ張った場合はマグネットの磁力によるカップリングが外れて給電を停止する。
【００２３】
５９は第１の容器３０に巻き付けて固定された断熱材であり、樹脂膜とアルミ箔をラミネートして形成された袋に酸化珪素の粉末を封入して形成されている。
【００２４】
制御回路５０には第１の遠心ポンプ４０の作動時間を積算する積算部６０と、第１の光学センサー４６が第１の容器３０の満水を検知したときに発生する信号で積算部６０のカウントをリセットする積算リセット部６１と、積算部６０の値と第１の容器３０の容量の半分の容量の値を比較する比較部６２と、比較部６２の信号を受けて制御回路５０に１分後に第２の遠心ポンプ４３を駆動する信号を送る遅延時間部６３とを有している。第１の遠心ポンプ４０の作動の積算値が所定の値（５００ｍｌ）を超えたら比較部６２が遅延時間部６３に信号を送り遅延時間部６３は１分後に制御回路５０に第２の遠心ポンプ４３を駆動する信号を送る。制御回路５０は第１の遠心ポンプ４０が操作されていないことを確認して第２の遠心ポンプ４３を駆動させて第２の容器３５内の水を第１の容器３０に移送する。第１の光学センサー４６が第１の容器３０の満水を検知して制御回路５０は第２の遠心ポンプ４３の駆動を停止する。もし遅延時間部６３で１分後に信号を出しても、制御回路５０が第１の遠心ポンプ４０が駆動されていると判断したら比較部６２に信号を送り改めて遅延時間部６３を作動させて第１の遠心ポンプ４０が最後に駆動されてから１分以上後でないと第２の遠心ポンプ４３が作動しないように構成されている。
【００２５】
以上のように構成された電気湯沸かし器について、図４を用いてその動作を説明する。まず、第２の容器３５に水を給水する。第２の光学センサー４９が満水以上でない適量であることを確認する。第１の光学センサー４６が第１の容器３０が満水でないことを検知して制御回路５０に信号を送る。制御回路５０は第２の遠心ポンプ４３を駆動して第２の容器３５から第１の容器３０に水を給水する。やがて第１の光学センサー４６が第１の容器３０が満水に達したことを検知し、制御回路５０は第２の遠心ポンプ４３を停止する。第１の容器３０は約１リットルで満水になる。次にヒーター３１の湯沸かしヒーター３２で第１の容器３０内の水を沸かす。湯が沸くと温度検知素子３４が検知して制御回路５０は保温ヒーター３３で湯の温度を約９５度に湯温調整する。このとき第１の容器３０内には約１リットルの湯がある。一般に容量が少ないと保温時の消費電力は少ない傾向がある。約１リットルの湯を保温する場合は平均約１５Ｗの消費電力になる。
【００２６】
湯を２００ｍｌ所望の場合は操作部５３を操作して第１の遠心ポンプ４０を駆動して第１の容器３０から第１の移送管３９を介して出湯口４１から湯を得る。
【００２７】
このとき制御回路５０の積算部６０は第１の遠心ポンプ４０の駆動時間から出湯した２００ｍｌの量に換算した値を積算して保持している。制御回路５０の比較部６２は積算部６０の値（２００ｍｌ）と第１の容器３０の半分の容量値（５００ｍｌ）との比較を行い積算量の方が小さいことを判断する。次の給湯操作も同様にして湯を４００ｍｌ得る。このときも積算部６０は第１の遠心ポンプ４０の駆動時間から給湯量（４００ｍｌ）を換算して積算している。比較部６２では積算した値（６００ｍｌ）と第１の容器３０の半分の容量値（５００ｍｌ）との比較を行い積算量が多いと判断する。比較部６２は遅延時間部６３に信号を送り遅延時間部６３では１分の時間を経て制御回路５０に信号を送る。制御回路５０は操作部５３で出湯操作が行われていないことを確認した後第２の遠心ポンプ４３を駆動する。第１の容器３０内に水が給水されてやがて第１の光学センサー４６が第１の容器３０が満水になったことを検知する。制御回路５０は第２の遠心ポンプ４３を停止する。第１の容器３０内には水が給水されているので湯温が低下している。温度検知素子３４は第１の容器３０内の湯温が低下したことを検知して制御回路５０に信号を送る。制御回路５０は湯沸かしヒーター３２に通電して第１の容器３０内の水は約４分程度で沸騰し、以降は保温ヒーター３３により約９５度に保温されることとなる。
【００２８】
制御回路５０は遅延時間部６３から信号を受け取ったときに操作部５３で給湯操作が行われていることを検知すると比較部６２に信号を送り再度比較動作をさせる。比較部６２は遅延時間部６３に再度信号を送る。遅延時間部６３は１分後に制御回路５０に信号を送る。この間に給湯操作をしている場合は給湯操作が完了するまでこの動作を繰り返して、給湯操作が完了したことを確認する。そして制御回路５０は第２の遠心ポンプ４３を駆動して第２の容器３５内の水を第１の容器３０内に第２の移送管４２を介して給水する。やがて第１の容器３０内の水は満水になり第１の光学センサー４６が満水を検知する。制御回路５０は第１の遠心ポンプ４０の駆動を停止する。第１の容器３０内には水が給水されているので湯温が低下している。温度検知素子３４が第１の容器３０内の湯温を検知して制御回路５０がヒーター３１に通電しやがて第１の容器３０内の水は沸騰し以降約９５度に保温維持される。
【００２９】
第２の容器３５内の水が少なくなると熱湯の使用直後であってもまたは使用直前であっても第２の容器３５に給水することで水の補給は完了するし、当然第１の容器３０に溜めてある熱湯の温度が低下することなく常に高温の熱湯を得ることができる。
【００３０】
積算部６０の値は誤差を含んでいるが、第１の容器３０に給水する際に第１の光学センサー４６で第１の容器３０の満水を検知することと、この時点で積算部６０の値をリセットすることで誤差をキャンセルすることができる。
【００３１】
以上にように本実施例によれば、第１に実用上充分な量である１リットルの湯を常に高温に維持するとともに湯量が少なくなると自動的に給水して湯沸かしして保温することが出来る。これで必要な湯量を常に確保するとともに不足する湯を常に補給して湯沸かしすることで必要な湯量の確保と保温電力の削減を同時に実現することができる。第２に第１の容器３０と第２の容器３５をコンパクトな構成として省スペースな構成にすることが出来る。第３に第１の容器３０の満水の水位を検知する機能を有する構成にすることで第１の容器３０内に満水までの水を給水することが出来る。第４に第１の容器３０に第２の容器３５から自動的に給水することで常に第１の容器３０内に湯を貯湯することが出来る。第５に第１の容器３０に第２の容器３５から給湯操作時以外に自動給水動作することで給湯時には常に熱湯を得ることができる。
【００３２】
（参考例１）
以下本発明の参考例１について、図面を参照しながら説明する。図５から図８において、３０は第１の容器、３１はヒーター、３２は湯沸かしヒーター、３３は保温ヒーター、３４は温度検知素子、３７は目盛り、３８は給湯口、３９は第１の移送管、４０は第１の遠心ポンプ、４１は出湯口、４２は第２の移送管、４３第２の遠心ポンプ、４４は開口部、４５は第１の満水目盛り、４６は第１の光学センサー、４７は発光ダイオード、４８は受光ダイオード、４９は第２の光学センサー、５１は上部防水ホルダー、５２は下部防水ホルダー、５３は操作部、５４は本体、５５は窓、５６は水位目盛り、５７は給電口、５８はプラグ、５９は断熱材、６０は積算部、６１は積算リセット部、６２は比較部、６３は遅延時間部で、以上は実施例１の図１から図４の構成と同様なものであり、説明は省略する。
【００３３】
実施例１の構成と異なるのは第２の容器７０を本体５４から着脱自在に構成した点と、タンクセンサー７１を第２の容器７０の下部に位置させて第２の容器７０の検知を行う点である。図７において７２は第２の容器７０の下部に形成された給水口である。給水口７２は第２の容器７０が着脱できる構造であることから第２の容器７０側にＯリング（オーリング）７３と逆止弁７４とで水密的に着脱を可能にして本体５４側にはシール部７５を形成している。
【００３４】
図８に示すように制御回路７６には給水積算部７７を設けている。給水積算部７７はタンクセンサー７１が第２の容器７０を検知してからの時間を積算する。タンクセンサー７１が第２の容器７０を検知するたびに給水積算部７７はリセットされる。
制御回路７６には所定の時間（たとえば２４時間）とタンクセンサー７１が第２の容器７０を検知してからの積算時間とを比較する積算時間比較部７８とが設けてある。７９は報知手段を構成する発光ダイオードであり、制御回路７６が積算時間比較部７８で２４時間以上第２の容器７０を着脱せずに信号を発生しなかった場合にこれを受けて操作部５３の発光ダイオード７９を発光して報知する。
【００３５】
以上のように構成された電気湯沸かし器について、以下その動作を説明する。、第２の容器７０を本体５４から取り外して水を入れる。着脱できるので第２の容器７０を水道の蛇口まで持って行くことができる。そして水を入れた第２の容器７０を本体５４にセットする。このときタンクセンサー７１は第２の容器７０を検知して給水積算部７７に信号を送る。給水積算部７７は時間の積算を実行する。積算時間比較部７８は給水積算部７７の値と設定値の２４時間とを比較する。このとき給水積算部７７の積算値が２４時間より大きいと積算時間比較部７８は制御回路７６に信号を送り、制御回路７６は操作部５３の発光ダイオード７９を点灯して第２の容器７０内の水を新しい水に交換することを警告する。
【００３６】
第２の容器７０を本体５４から離脱するとタンクセンサー７１は制御回路７６に信号を送り給水積算部７７の積算値をリセットし、発光ダイオード７９は消灯する。以降は給水積算部７７の値と設定値（２４時間）とを積算時間比較部７８で比較し２４時間より大きいと制御回路７６は発光ダイオード７９を点灯する。
【００３７】
以上のように、第２の容器７０を着脱できるようにすることで給水作業を簡単に行うことができるとともに、タンクセンサー７１を設けて第２の容器７０の着脱を検知することで第２の容器７０内の水が長期間放置された後に第１の容器３０に給水されることがないようにすることにより、雑菌等の繁殖を防ぎ安全でおいしい湯を得ることができる。
【００３８】
なお、参考例１において第２の容器７０は給水口７２で本体５４と分離したが、第２の遠心ポンプ４３の一部を第２の容器７０の一部としてもよい。また、本実施例では、タンクセンサー７１で第２の容器７０の着脱を検知したが、検知の原理は重量検知でもフォトダイオードによる光学的検知でもよく、第２の容器７０の着脱を検知できればよいことは言うまでもない。
【００３９】
また、本参考例において報知手段を発光ダイオード７９としたがブザーなどの報知音を発する装置としてもよい。
【００４０】
【発明の効果】
以上のように本発明の電気湯沸かし器によれば、実使用上必要量の高温の湯が常に得られると同時に保温に必要な消費電力も抑えることが出来る。また、補給する水による湯温の低下を遅延させて湯を使用する間は高温の湯を得ることが出来る。
【図面の簡単な説明】
【図１】  本発明の実施例１の電気湯沸かし器の断面図
【図２】  本発明の実施例１の電気湯沸かし器の本体上面図
【図３】  本発明の実施例１の電気湯沸かし器の要部断面図
【図４】  本発明の実施例１の電気湯沸かし器の各部の動作関係図
【図５】  本発明の参考例１の電気湯沸かし器の断面図
【図６】  本発明の参考例１の電気湯沸かし器の本体上面図
【図７】  本発明の参考例１の電気湯沸かし器の要部断面図
【図８】  本発明の参考例１の電気湯沸かし器の各部の動作関係図
【図９】  従来例の電気湯沸かし器の断面図
【符号の説明】
３０  第１の容器
３１  ヒーター（加熱装置）
３５  第２の容器
３９  第１の移送管
４０  第１の遠心ポンプ（第１の移送装置）
４１  出湯口
４２  第２の移送管
４３  第２の遠心ポンプ（第２の移送装置）
４４  開口部
４６  第１の光学センサー（第１の液位検知装置）
４９  第２の光学センサー（第２の液位検知装置９
５０  制御回路
５３  操作部
５４  本体
６０  積算部
６１  積算リセット部
６２  比較部
６３  遅延時間部
７０  第２の容器
７１  タンクセンサー
７６  制御回路
７７  給水積算部
７８  積算時間比較部
７９  発光ダイオード（報知手段）
【図１】
0003666436.tif 000002
【図２】
0003666436.tif 000003
【図３】
0003666436.tif 000004
【図４】
0003666436.tif 000005
【図５】
0003666436.tif 000006
【図６】
0003666436.tif 000007
【図７】
0003666436.tif 000008
【図８】
0003666436.tif 000009
【図９】
0003666436.tif 000010